(57)【要約】【課題】  本物に近い形態を有し且つ本物に近い遊泳態様を表現可能な人工水生生物を備えたディスプレイの提供を図る。【解決手段】  本考案は、人工的に作られた水生生物のディスプレイであって、透明若しくは半透明の中空容器１０の中空部１２内に、軟質プラスチックにより成形された人工水生生物２０が適宜配置若しくは装入され、必要に応じて粒状物２２が敷設されると共に人工石・自然石２４が適宜配置され、略透明のオイル材１８を充満して中空容器１０を密閉することで構成されている。【選択図】図１
0003184633.tif 000002
【実用新案登録請求の範囲】
【請求項１】
人工的に作られた水生生物のディスプレイであって、
透明若しくは半透明の中空容器の中空部内に、軟質プラスチックにより成形された人工水生生物を適宜配置若しくは装入すると共に、略透明のオイル材を充満して密閉されて成ることを特徴とする人工水生生物ディスプレイ。
【請求項２】
前記人工水生生物ディスプレイにおいて、
前記中空容器の中空部内における所定箇所に、粒状物が敷設されて成ることを特徴とする請求項１に記載の人工水生生物ディスプレイ。
【請求項３】
前記人工水生生物ディスプレイにおいて、
前記中空容器の中空部内に、人工石若しくは自然石が適宜配置されて成ることを特徴とする請求項１または請求項２に記載の人工水生生物ディスプレイ。
【請求項４】
前記人工水生生物ディスプレイにおいて、
前記中空容器の中空部内に充満されたオイル材を対流させるための対流装置が備えられていることを特徴とする請求項１から請求項３のいずれかに記載の人工水生生物ディスプレイ。
【請求項５】
前記人工水生生物ディスプレイにおいて、
前記中空容器の中空部内全体若しくは人工水生生物を灯光するための灯光装置が備えられていることを特徴とする請求項１から請求項４のいずれかに記載の人工水生生物ディスプレイ。
【請求項６】
前記人工水生生物ディスプレイにおいて、
前記人工水生生物に、着色が施されていることを特徴とする請求項１から請求項５のいずれかに記載の人工水生生物ディスプレイ。
【考案の詳細な説明】
【技術分野】
【０００１】
本考案は、人工的に作られた水生生物のディスプレイに関し、詳しくは、人工的に作られた水生生物が容器内で本物のように遊動する様を観賞可能なディスプレイに関するものである。
【背景技術】
【０００２】
従来より、水槽内で水生生物を飼育して、かかる水生生物が水中で遊泳する様を観賞することが盛んに行われている。特にレストランなど店舗においては、店内に水槽を設置して水生生物を客に観賞させることで、店内の雰囲気を盛り上げることが行われている。また、水生生物の遊泳の様を観賞することは、人の興味をそそり、かつ、リラクゼーション効果を奏して、一般家庭においても広く行われている。
【０００３】
しかしながら、水生生物は生きているため、毎日餌を与えたり、水温管理を行ったり、バクテリアにより藻などが発生して水槽が汚れるなど、飼育に手間がかかり、かつ、面倒なものであった。
【０００４】
かかる手間を軽減し、面倒を回避するために、餌を毎日与える必要が無く、温度等の環境維持も容易である観賞用水槽として、魚模型等の人工的に作られた水生生物によるディスプレイ装置が従来より提案されている。かかる従来のディスプレイ装置は、水槽底面に回転可能な永久磁石を備えると共に人工水生生物にも永久磁石を埋め込み、水槽底面の永久磁石を回転させることで人工水生生物を水槽内で移動させる態様のものや、あるいは、水槽内の水に気泡などを発生させ、かかる気泡により水槽内に水流を発生させて、人工水生生物が遊泳しているように見せる態様のものなどがある。
【０００５】
しかしながら、上記従来のディスプレイ装置では、擬似的な人工水生生物を本物そっくりに作るとなると、どうしても硬質素材を用いざるを得ず、その結果、人工水生生物自体がぎこちない不自然な動きをするものであった。逆に、軟質素材であるシリコン樹脂で人工水生生物を作った提案もなされているが、シリコン樹脂は接着性に難があり、本物そっくりに作ることが困難であると共に、水槽内での人工水生生物の配置に苦慮するといった問題があった。
【０００６】
また、従来のディスプレイ装置において、磁石式のものに関しては、人工水生生物が水槽の底面を回転移動するだけの単純な動きしかせず、しかも多数の人工水生生物を不規則に回遊させることもできずに、不自然な挙動を示すと共に、鑑賞者がすぐに飽きてしまうといった問題があった。
【０００７】
さらに、従来のディスプレイ装置において、気泡式のものに関しては、気泡発生部付近の気泡が上昇する周辺領域において、人工水生生物がその領域に入った場合に、気泡の浮力で人工水生生物が水面近くに押し上げられるなど、不自然な挙動を示してしまうといった問題があった。
【先行技術文献】
【特許文献】
【０００８】
【特許文献１】特開２００４−５６３号公報
【特許文献２】特開平９-１７３６５０号公報
【特許文献３】実開平７−２３５９９号公報
【特許文献４】実開昭５８−１６００９７号公報
【特許文献５】実用新案登録第３０１８５５５号公報
【考案の開示】
【考案が解決しようとする課題】
【０００９】
本考案は、上記問題点に鑑み、本物に近い形態を有し且つ本物に近い遊泳態様を表現可能な人工水生生物を備えたディスプレイを提供することを課題とする。
【課題を解決するための手段】
【００１０】
上記課題を解決するため、本考案は、人工的に作られた水生生物が備えられた人工水生生物ディスプレイであって、透明若しくは半透明の中空容器の中空部内に、軟質プラスチックにより成形された人工水生生物を適宜配置若しくは装入すると共に、略透明のオイル材を充満して密閉されて成る構成となっている。
【００１１】
また、本考案は、前記人工水生生物ディスプレイにおいて、前記中空容器の中空部内における所定箇所に、粒状物が敷設されて成る構成を採用し得る。
【００１２】
さらに、本考案は、前記人工水生生物ディスプレイにおいて、前記中空容器の中空部内に、人工石若しくは自然石が適宜配置されて成る構成とすることもできる。
【００１３】
またさらに、本考案は、前記人工水生生物ディスプレイにおいて、前記中空容器の中空部内に充満されたオイル材を対流させるための対流装置が備えられている構成を採ることも可能である。
【００１４】
さらにまた、本考案は、前記人工水生生物ディスプレイにおいて、前記中空容器の中空部内全体若しくは人工水生生物を灯光するための灯光装置が備えられている構成とすることも可能である。
【００１５】
そしてまた、本考案は、前記人工水生生物ディスプレイにおいて、前記人工水生生物に、着色が施されている構成を採用することもできる。
【考案の効果】
【００１６】
本考案にかかる人工水生生物ディスプレイによれば、人工水生生物を本物に酷似した形態に作ることができ、あたかも中空容器内に本物の水生生物が居る様なディスプレイを提供することが可能となる。
【００１７】
また、本考案にかかる人工水生生物ディスプレイによれば、中空容器内に水でなく略透明のオイル材を充満させることで、人工水生生物の硬化を防止すると共に劣化を防ぐことができ、さらには、中空容器内で滑らかな対流を奏して、水生生物の疑似環境を醸し出して、観賞者の美感に訴えるディスプレイを提供するものである。
【００１８】
さらに、本考案にかかる人工水生生物ディスプレイによれば、中空容器の中空部内に充満されたオイル材を対流させることで、自然界の水流による水生生物の浮遊態様に近似した状態を表現することが可能となる。
【００１９】
またさらに、本考案にかかる人工水生生物ディスプレイによれば、中空容器の中空部内全体若しくは人工水生生物を灯光するための灯光装置を備えたり、人工水生生物に種々着色を施すことで、幻想的な世界を醸し出して、観賞者の美感に訴えるディスプレイを提供することが可能となる。
【図面の簡単な説明】
【００２０】
【図１】本考案にかかる人工水生生物ディスプレイの実施形態を示す説明図である。
【図２】本考案にかかる人工水生生物ディスプレイの実施形態を示す説明図である。
【考案を実施するための形態】
【００２１】
本考案にかかる人工水生生物ディスプレイ１は、透明若しくは半透明の中空容器１０の中空部１２内に、軟質プラスチックにより成形された人工水生生物２０を適宜配置若しくは装入すると共に、略透明のオイル材１８を充満して密閉することで、水生生物の疑似環境を醸し出すことを可能としたことを最大の特徴とする。以下、本考案にかかる人工水生生物ディスプレイ１の実施形態を、図面に基づいて説明する。
【００２２】
なお、本考案にかかる人工水生生物ディスプレイ１は、以下に述べる実施形態に限定されるものではなく、本考案の技術的思想の範囲内、すなわち同一の作用効果を発揮できる形状や寸法等の範囲内で、適宜変更することができる。
【００２３】
図1及び図２は、本考案にかかる人工水生生物ディスプレイ１の実施形態を示す説明図であり、各図（ａ）は斜視図、各図（ｂ）は部分断面図である。
本考案の人工水生生物ディスプレイ１は、人工的に作られた水生生物２０のディスプレイであって、中空容器１０と、人工水生生物２０と、オイル材１８と、により構成されている。
【００２４】
中空容器１０は、その内部に中空部１２を有する容器であって、外部から中空部１２内を視認可能とすべく、透明若しくは半透明のガラスや強化プラスチックにより成形されている。かかる中空容器１０の形状については、特に限定はなく、例えば図１に示すような略球形状や、図２に示すような方形状とすることが考え得る。該中空容器１０には、中空部１２内に人工水生生物２０を装入し、かつ、オイル材１８を流し込むべく、開口部１４を備えている。かかる開口部１４は、図１に示すように中空容器１０の上部に備えられた態様のほか、図２に示すような中空容器の底面全体を開口部１４とする態様も可能である。なお、中空容器１０の上部に開口部１４を備える場合には、該開口部１４を蓋材１６により閉口することとなる。
【００２５】
人工水生生物２０は、水生生物をモチーフに疑似的に作られた模型であって、その全てが軟質プラスチックにより成形されている。人工水生生物２０として作られる水生生物の種については、特に限定はなく、例えば図示されたイソギンチャク２０ａやクラゲ２０ｂ、海草２０ｃのほか、ヒトデや熱帯魚その他種々の水生生物が挙げられる。通常、プラスチックを用いた模型は、溶融原料を型に流し込むことで成型されることとなるが、本考案の場合、実際の水生生物に酷似した模型を作製すべく、軟質プラスチックを溶剤により軟化させた状態で、ハンドメイドにより成形する方法を採用することが好ましい。成形後の人工水生生物２０は、適当な硬度にまで乾燥させることで、使用可能状態となる。
【００２６】
ところで、人工水生生物２０には、適宜着色が施される。かかる着色は、軟質プラスチックを溶剤により軟化させた際に着色材を混入させることで、軟質プラスチック全体を着色する態様のほか、人工水生生物２０の成形後に着色材を塗布する態様も可能である。
かかる着色のための塗料や色については、特に限定はなく、原料となる軟質プラスチックとの相性や作られる人口水生生物２０の種類などによって適宜選択され、例えば蛍光塗料などが考え得る。また、着色に際して、蓄光材を混合する態様も可能である。
【００２７】
オイル材１８は、人工水生生物２０が適宜配置若しくは装入された後に、中空容器１０の中空部１２内に流し込まれて充満されるものであって、油分をその主成分とする。使用するオイル材１８の種類に限定はないが、人工水生生物２０を視認可能なように、略透明のものが用いられ、粘性等も考慮して選択される。かかる中空容器１０の中空部１２内に流し込む液体として、水ではなくオイル材１８を用いるのは、水であると軟質プラスチックの固形化を招く恐れがあると共に、人工水生生物２０の動きが硬い動きになり、さらには、軟質プラスチックが腐食する心配があるためであり、オイル材１８を用いることで、これらの問題を全て解決することが可能となる。
【００２８】
以上の構成要素を基に、本考案にかかる人工水生生物ディスプレイ１は作製されることとなる。該人工水生生物ディスプレイ１を作製する手順は、以下の通りとなる。
（１）中空容器１０の開口部１４から、中空部１２内へ人工水生生物２０を適宜配置し、あるいは、装入する。このとき、容器外で人工水生生物２０を予めレイアウトした上で、中空部１２内へ装入する態様も可能である。また、中空部１２の所定箇所に、予め粒状物２４を敷設しておく態様が考えられ、これにより海底等をイメージさせることが可能となる。
（２）空容器１０の中空部１２内には、人工水生生物２０のほか、必要に応じて人工石・自然石２２を適宜配置することも考え得る。これによって、より実際の自然環境に類似した、ジオラマ的要素を醸し出すことが可能となる。なお、人工石・自然石２２のほか、人工若しくは自然の珊瑚を配置してもよい。
（３）次いで中空容器１０の開口部１４から、中空部１２へ略透明のオイル材１８流し込んで、該中空部１２内をオイル材１８で充満させる。
（４）中空部１２内がオイル材１８で充満した状態で、中空容器１０の開口部１４を蓋材１６等で密閉することで、本考案にかかる人工水生生物ディスプレイ１は完成する。
【００２９】
上記構成から成る人工水生生物ディスプレイ１について、中空容器１０の中空部１２内に充満されたオイル材１８を対流させるべく、図面に示すように、対流装置３０が備えられた態様を採用し得る。かかる対流装置３０は、中空部１２内に少なくとも一以上の吹出口３１と少なくとも一以上の吸入口３２が備えられた循環機構を採用する。吸入口３２から吸入されたオイル材１８が吹出口３１から吹き出されることによって、中空部１２内のオイル材１８が対流しつつ循環し、かかる対流作用により人工水生生物２０が自然遊動することとなる。
【００３０】
また、上記構成から成る人工水生生物ディスプレイ１について、中空容器１０の中空部１２内全体、若しくは、人工水生生物２０を灯光すべく、灯光装置３３が備えられた態様を採用することも可能である。かかる灯光装置３３を備える態様については、特に限定するものではなく、例えば図面に示すような中空容器１０の下方位置に灯光装置３３を備えて、中空部１２内を全体的に灯光する態様が考え得る。あるいは、人工水生生物２０内に光ファイバー３４の先端を位置させ、光源の発光が光ファイバー３４を介して人工水生生物２０を中から直接灯光する態様も可能である。さらには、いわゆるブラックライトによる灯光態様も考え得る。かかる灯光装置３３を備えることで、ディスプレイとして幻想的な世界を醸し出すことが可能となり、観賞者の美感に訴えることとなる。
【産業上の利用可能性】
【００３１】
本考案は、本物の水生生物と同様の遊泳動作を為す人工水生生物２０を観賞できるディスプレイとして従来にない美観を奏して、商業用から一般家庭用まで幅広く利用可能性が期待できるものであって、本考案にかかる人工水生生物ディスプレイ１の産業上の利用可能性は極めて大である。
【符号の説明】
【００３２】
１    人工水生生物ディスプレイ
１０    中空容器
１２    中空部
１４    開口部
１６    蓋材
１８    オイル材
２０    人工水生生物
２０ａ  イソギンチャク
２０ｂ  クラゲ
２０ｃ  海草
２２    人工石・自然石
２４    粒状物
３０    対流装置
３１    吹出口
３２    吸入口
３３    灯光装置
３４    光ファイバー
【図１】
0003184633.tif 000003
【図２】
0003184633.tif 000004